(57)【要約】      （修正有）【課題】既存の壁取付け用の電力量計をそのまま利用して、自動販売機の筐体の天面に傷つけることなく簡単に設置できる、自立型の電力量計用ホルダーの提供。【解決手段】電力量計Ｅの筐体背面部に設けられた壁面取付け用に挿入係止される係止突起部１５を有して、筐体背面部に嵌め殺し状態で取付けられる背当て部３と、電力量計Ｅに配線接続され、背当て部３の露出背面７に配設されたコンセント１７ａと、背当て部３に取付けられて、露出背面７を覆うフード状カバー部２９と、背当て部３に取付けられて、設置面と平行になる底面部３５を含む脚部３３と、脚部３３に設けられたコード引出口４５を備え、一体化の際には、フード状カバー部２９と脚部３３のそれぞれの縁部どうしが背面及び両側面で合されて背当て部３を覆う。【選択図】図３
0003224690.tif 000002
【実用新案登録請求の範囲】
【請求項１】
壁面取付け用電力量計に取付けられ一体化されて自立型の電力量計測機器となる電力量計用ホルダーであって、
前記電力量計の筐体背面部に設けられた壁面取付け用に挿入係止される係止突起部を有して、前記筐体背面部に嵌め殺し状態で取付けられる背当て部と、
前記電力量計に配線接続され、前記背当て部の露出背面に配設された負荷接続用コンセントと、
前記背当て部に取付けられて、前記露出背面を覆うフード状カバー部と、
前記背当て部に取付けられて、設置面と平行になる底面部を含む脚部と、
前記脚部に設けられたコード引出口を備え、
一体化の際には、前記フード状カバー部と前記脚部のそれぞれの縁部どうしが背面及び両側面で合されて前記背当て部を覆うことを特徴とする電力量計用ホルダー。
【請求項２】
請求項１に記載した電力量計用ホルダーにおいて、
脚部にはマグネットが設けられており、設置面をなす磁性体に対して吸引固定されることを特徴とする電力量計用ホルダー。
【請求項３】
請求項１または２に記載した電力量計用ホルダーにおいて、
背当て部の露出背面に取付けられ、電力量計の端子配列部とコード引出口の間にフラップ状に延出する防水フィルムを備えることを特徴とする電力量計用ホルダー。
【請求項４】
請求項１から３のいずれかに記載した電力量計用ホルダーにおいて、
背当て部の露出背面に被装着部を備え、装着された防水フィルムはコンセントとコード引出口との間にフラップ状に延出することを特徴とする電力量計用ホルダー。
【請求項５】
請求項４に記載した電力量計用ホルダーにおいて、
被装着部が、防水フィルムを露出背面に重ねた状態で挟込む挟持片と、前記防水フィルムに形成された孔を通す抜止め突起と、前記防水フィルムを前記露出背面から立上げる立上げガイド片をそれぞれ複数備えて構成されていることを特徴とする電力量計用ホルダー。
【請求項６】
請求項１から５のいずれかに記載した電力量計用ホルダーにおいて、
脚部の内面にコードを迂回させる迂回ガイド軸が突設されていることを特徴とする電力量計用ホルダー。
【請求項７】
請求項１から６のいずれかに記載した電力量計用ホルダーにおいて、
フード状カバー部が背当て部に対してスライド可能に取付けられていることを特徴とする電力量計用ホルダー。
【請求項８】
請求項１から７のいずれかに記載した電力量計用ホルダーにおいて、
自動販売機の天面に載せて設置されることを特徴とする電力量計用ホルダー。
【考案の詳細な説明】
【技術分野】
【０００１】
本考案は、電力量計に装着して自立型にするホルダーに関するものである。
【背景技術】
【０００２】
自動販売機は、特許文献１に示すような電力量計と併せて設置される場合が多く、その場合の電力量計は建物の外壁に隣接して当該自動販売機が設置されているときには当該外壁に固定して設置されるが、離れているときには当該自動販売機に直に固定して設置されている。
【先行技術文献】
【特許文献】
【０００３】
【特許文献１】特開２０１８−１７９７７１号公報
【考案の概要】
【考案が解決しようとする課題】
【０００４】
而して、固定に伴い、当該自動販売機の筐体を傷つけることは筐体の保護機能を損なうことになるので、できれば避けたい。
その一方で、自動販売機の筐体を傷つけることなく固定する専用タイプの電力量計を新たに製作することはコスト高になる。
【０００５】
本考案は上記従来の問題点に着目して為されたものであり、既存の壁取付け用の電力量計をそのまま利用して、自動販売機の筐体の天面に傷つけることなく簡単に設置できる、自立型の電力量計用ホルダーを提供することを、その目的とする。
【課題を解決するための手段】
【０００６】
本考案は上記課題を解決するためになされたものであり、請求項１の考案は、壁面取付け用電力量計に取付けられ一体化されて自立型の電力量計測機器となる電力量計用ホルダーであって、前記電力量計の筐体背面部に設けられた壁面取付け用に挿入係止される係止突起部を有して、前記筐体背面部に嵌め殺し状態で取付けられる背当て部と、前記電力量計に配線接続され、前記背当て部の露出背面に配設された負荷接続用コンセントと、前記背当て部に取付けられて、前記露出背面を覆うフード状カバー部と、前記背当て部に取付けられて、設置面と平行になる底面部を含む脚部と、前記脚部に設けられたコード引出口を備え、一体化の際には、前記フード状カバー部と前記脚部のそれぞれの縁部どうしが背面及び両側面で合されて前記背当て部を覆うことを特徴とする電力量計用ホルダーである。
【０００７】
請求項２の考案は、請求項１に記載した電力量計用ホルダーにおいて、脚部にはマグネットが設けられており、設置面をなす磁性体に対して吸引固定されることを特徴とする電力量計用ホルダーである。
【０００８】
請求項３の考案は、請求項１または２に記載した電力量計用ホルダーにおいて、背当て部の露出背面に取付けられ、電力量計の端子配列部とコード引出口の間にフラップ状に延出する防水フィルムを備えることを特徴とする電力量計用ホルダーである。
【０００９】
請求項４の考案は、請求項１から３のいずれかに記載した電力量計用ホルダーにおいて、背当て部の露出背面に被装着部を備え、装着された防水フィルムはコンセントとコード引出口との間にフラップ状に延出することを特徴とする電力量計用ホルダーである。
【００１０】
請求項５の考案は、請求項４に記載した電力量計用ホルダーにおいて、被装着部が、防水フィルムを露出背面に重ねた状態で挟込む挟持片と、前記防水フィルムに形成された孔を通す抜止め突起と、前記防水フィルムを前記露出背面から立上げる立上げガイド片をそれぞれ複数備えて構成されていることを特徴とする電力量計用ホルダーである。
【００１１】
請求項６の考案は、請求項１から５のいずれかに記載した電力量計用ホルダーにおいて、脚部の内面にコードを迂回させる迂回ガイド軸が突設されていることを特徴とする電力量計用ホルダーである。
【００１２】
請求項７の考案は、請求項１から６のいずれかに記載した電力量計用ホルダーにおいて、フード状カバー部が背当て部に対してスライド可能に取付けられていることを特徴とする電力量計用ホルダーである。
【００１３】
請求項８の考案は、請求項１から７のいずれかに記載した電力量計用ホルダーにおいて、自動販売機の天面に載せて設置されることを特徴とする電力量計用ホルダーである。
【考案の効果】
【００１４】
本考案の電力量計用ホルダーを既存の壁取付け用の電力量計に装着すれば、自立型の電力量計測機器になる。従って、自動販売機の筐体の天面に傷つけることなく簡単に設置できる。
【図面の簡単な説明】
【００１５】
【図１】本考案の実施の形態に係る電力量計用ホルダーを電力量計に装着した状態を示す斜視図である。
【図２】図１の別方向の斜視図である。
【図３】図２の分解斜視図である。
【図４】図３の別方向の分解斜視図である。
【図５】図２の背当て部の露出背面側から見た斜視図である。
【図６】図１の電力量計の背面側から見た斜視図である。
【図７】図５の背当て部の係合取付け状態を示す断面図である。
【図８】図１の縦断面図である。
【考案を実施するための形態】
【００１６】
本考案の実施の形態に係る電力量計用ホルダー１を図面にしたがって説明する。
この電力量計用ホルダー１は、図１、図２に示すように、市販の壁面取付け用電力量計Ｅに取付けて一体化されており、電力量計Ｅの外形、サイズに合わせた専用品になっている。この一体化されたものが自立型の電力量計測機器となっている。以下では、図１で示す上下左右前後方向を方向の基準として説明する。
図３、図４に示すように、電力量計用ホルダー１は、複数の部品が組み合わされて構成されており、そのうちの一つが背当て部３である。この背当て部３の主部５は長方形のプレート状になっており、主部５の一方の板面が露出背面７で他方の板面が合せ面９（図５）である。合せ面９側で、一つの短辺縁とそれを挟む二つの長辺縁にかけて低く立上がった嵌込み枠１１が設けられている。また、露出背面７側でも、同様に、ガイドレール１３が設けられている。ガイドレール１３は主部５に垂直な断面が凹状になっており、横方向が開口している。嵌込み枠１１とガイドレール１３は、主部５を介して対向しており、いずれも、板面の上方から見るとＵ字状になっている。
電力量計測機器として自立させたときには、背当て部３は、このＵ字状部分のＵ底側を上側として主部５を縦長にした状態になる。
【００１７】
主部５の上部には軸状の係止突起部１５が設けられている。図５に示すように、この係止突起部１５は、合せ面９側に突出している。係止突起部１５では、主部５を貫通した円孔内に同軸状に配置された円板状基部１５ａが連結部１５ｂ、１５ｂを介して主部５側と上下の位置で連結されている。円板状基部１５ａからは、一対の半割軸部１５ｃ、１５ｃが突出している。これらは割り面どうしが僅かな隙間をあけて対向している。半割軸部１５ｃは半割円柱１５ｄと半割切頭円錐１５ｅが一体化されたものである。半割円柱１５ｄ側が円板状基部１５ａに連なっており、半割切頭円錐１５ｅの底面が半割円柱１５ｄに連なっている。
また、主部５の下部には爪状の係止突起部１６が設けられている。この係止突起部１６は、合せ面９から垂直に突出して先端の爪部１６ａが下側に向かって張り出している。
【００１８】
電力量計Ｅは壁面取付け用であり、図６に示すように、筐体の背面部ｅ１には壁面取付け孔ｅ２と補助取付け孔ｅ３が設けられている。図７（１）、（２）に示すように、このひょうたん形の壁面取付け孔ｅ２の下側の円孔に係止突起部１５が挿入されると、半割軸部１５ｃの半割円柱１５ｄが壁面取付け孔ｅ２内に収まり、半割切頭円錐１５ｅ側の段差と円板状基部１５ａ側の段差が壁面取付け孔ｅ２の孔縁に突当て当接されて係止される。一対の半割軸部１５ｃ、１５ｃの間には隙間が形成されているので、一対の半割軸部１５ｃ、１５ｃが弾性的に近接することにより縮径でき、挿入が容易となっている。また、爪状の係止突起部１６が補助取付け孔ｅ３内に収まり、爪部１６ａが補助取付け孔ｅ３の孔縁に引っ掛かって係止される。
上記係止により、図８に示すように、背当て部３は電力量計Ｅに対して、主部５の合せ面９が筐体の背面部ｅ１に重ね合され、嵌め殺し状態で取付けられる。嵌込み枠１１に筐体の側面部が内嵌されて保持されており、外れ難くなっている。
【００１９】
図３に示すように、背当て部３の主部５の露出背面７には、上下方向中間部にコンセントボックス１７が配設されている。このコンセントボックス１７の下面にコンセント１７ａが設けられている。図５に示すように、このコンセント１７ａの配線１７ｂは、主部５を露出背面７側に隆起させて形成した配線トンネル５ａを通って背当て部３より引き出されている。
上記の係止では、嵌込み枠１１が被らず、端子配列部ｅ４側は露出している。配線１７ｂの端子は、端子配列部ｅ４側に引き出され、端子配列部ｅ４に接続される。この接続により、コンセント１７ａは通電可能状態になる。
【００２０】
なお、端子配列部ｅ４には配線コード１８も接続されているが、これは商用電源接続用のものである。主部５の端子配列部ｅ４側の縁からＴ字状の配線ガイド片５ｂが延出しており、この配線ガイド片５ｂのＴ字部分の両側に配線１８ａ、１８ａがそれぞれ乗せられた状態でガイドされている。
【００２１】
コンセントボックス１７は露出背面７に立設されたガイド壁１９と仕切り壁２０に囲まれて保持されており、仕切り壁２０により主部５の露出背面７側は上下に仕切られている。
【００２２】
仕切り壁２０より下側では、露出背面７に防水フィルムＦ１の被装着部２１が設けられている。この被装着部２１では、３つの挟持片２３、２３、２３が左右方向に間隔を開けて設けられている。挟持片２３は露出背面７から突設されており、露出背面７に垂直な断面ではＬ字形になっている。そして、露出背面７に平行な板面部と露出背面７との間の隙間が挟持溝になっている。この挟持溝は左右方向と下方向に開放されており、防水フィルムＦ１を下側から差込めるようになっている。
挟持片２３、２３、２３に各別に対応して、その下側では、抜止め突起２５、２５、２５が配置されている。抜止め突起２５は頭部が僅かに大きくなっている。
抜止め突起２５、２５、２５に各別に対応して、その下側では、立上げガイド片２７、２７、２７が配置されている。立上げガイド片２７は、露出背面７から垂直に突設された軸部２７ａと、軸部２７ａと露出背面７との間の角部を埋める三角板部２７ｂで構成されている。三角板部２７ｂは抜止め突起２５側にあり、その板面は左右方向を向いている。三角板部２７ｂの傾斜縁２７ｃの下端は抜止め突起２５の近傍に位置する。
【００２３】
この被装着部２１に装着される防水フィルムＦ１は矩形になっており、その横寸法はガイドレール１３の対向する内面間の間隔よりも小さくなっている。そして、縦方向の中間には孔ｐ、ｐ、ｐが形成されている。この孔ｐ、ｐ、ｐは横方向に間隔をあけて配列している。
防水フィルムＦ１の一方の横辺縁側を、３つの挟持片２３、２３、２３のそれぞれの挟持溝に挟込み、孔ｐ、ｐ、ｐに抜止め突起２５、２５、２５を通すと、防水フィルムＦ１の半部が露出背面７に重なる。そして、他方の横辺縁側が立上げガイド片２７、２７、２７のそれぞれの傾斜縁２７ｃ、２７ｃ、２７ｃに背当てされた状態で斜めに立上がる。この立上り部分はフラップｆ１になっており、このフラップｆ１の先端縁は立上げガイド片２７の天頂部を超えて高く立上がっている。
【００２４】
また、別の防水フィルムＦ２も備えられている。この防水フィルムＦ２も矩形になっており、その横寸法は防水フィルムＦ１よりも小さくなっている。この防水フィルムＦ２の一方の横辺縁側は露出背面７に貼着されており、他方の横辺縁側は端子配列部ｅ４側より先方にはみ出してフラップｆ２になっている。このフラップｆ２は端子配列部ｅ４側に折り返されて端子配列部ｅ４側に突き出た配線１７ｂ、１７ｂを覆っている。
【００２５】
図３、図４に示すように、フード状カバー部２９は半割の箱蓋状になっており、天面部２９ａの両側が側面部２９ｂ、２９ｂになっている。側面部２９ｂ〜天面部２９ａ〜側面部２９ｂと連なるスライド縁２９ｃのうち、側面部２９ｂの内面側には摺接凸部２９ｄが形成されている。側面部２９ｂ〜背面部２９ｅ〜側面部２９ｂと連なる合せ縁２９ｆには、内面側に段差が形成されており、縁端が薄くなっている。
背面部２９ｅには、係合穴部３１が設けられている。この係合穴部３１のベース片３１ａが合せ縁２９ｆから突き出た状態に取付けられており、このベース片３１ａに矩形の係合穴３１ｂが形成されている。ベース片３１ａは片持ち支持されているので弾性を利用して持ち上げることが可能となっている。係合穴３１ｂは正面〜背面方向に開放されている。
【００２６】
フード状カバー部２９が背当て部３の主部５に背面側から被せられて露出背面７の大部分が覆われる。側面部２９ｂの摺接凸部２９ｄがガイドレール１３の凹面に左右方向外側から摺接しながらスライド縁２９ｃがスライド移動可能になっている。従って、フード状カバー部２９を上げれば、コンセントボックス１７のコンセント１７ａが見える状態になる。
【００２７】
脚部３３は設置面と平行になる底面を有する底面部３５と、底面部３５の左右両側から立上がったプレート状の支持部３７、３７と、支持部３７、３７の間を正面側で塞ぐプレート状の正面部３９と、背面側で塞ぐプレート状の背面部４１とで構成されている。
底面部３５には複数のスリット孔３５ａ、３５ａ、……が左右に分かれて形成されており、それぞれの左右のスリット孔３５ａ、３５ａ、……を覆うように、図７に示すように、底面部３５の内面にはそれぞれマグネット３６、３６が配置されている。
支持部３７、３７の上面は、電力量計Ｅの底面の端子配列部ｅ４の左右両側に当たって支持するようになっている。正面部３９は支持部３７よりも高くなっており、電力量計Ｅの正面側の下部に当たる。
【００２８】
背面部４１は、フード状カバー部２９と対となる半割の箱蓋状になっており、下面部４１ａは底面部３５の一部をなしている。下面部４１ａの両側が側面部４１ｂ、４１ｂになっている。側面部４１ｂは支持部３７との間に段差が設けられており、その段差分だけ左右方向外方に広がっている。側面部４１ｂ〜後面部４１ｃ〜側面部４１ｂと連なる合せ縁４１ｄには、外面側に段差が形成されており、縁端が薄くなっている。
後面部４１ｃには、係合突起４３が設けられている。この係合突起４３は合せ縁４１ｄの近傍で外方に突き出た状態に設けられている。フード状カバー部２９の合せ縁２９ｆの段差に背面部４１の合せ縁４１ｄの段差を凹凸係合させると、背当て部３が完全に隠れる。また、係合穴３１ｂに係合突起４３が内嵌されてロック状態になる。
側面部４１ｂ、４１ｂのスライド縁４１ｅがスライド移動可能になっている。背面部４１が完全に上げられると、支持部３７、３７の上面が電力量計Ｅの底面の端子配列部ｅ４の左右両側に当たり、正面部３９の上面が電力量計Ｅの正面側突出部分の下面に当たり、それ以上の進行が規制されて上記した合せ状態になる。
【００２９】
図１、図２に示すように、電力量計Ｅは支持部３７、３７、正面部３９に当たって安定的に持上げ支持される。
図２等に示すように、底面部３５と背面部４１の角部にコード引出口４５が形成されている。このコード引出口４５は、左右のスリット孔３５ａ、３５ａ、……の間に位置しており、コードを外に引き出せるようになっている。
また、底面部３５はコード引出口４５が背面側半部に形成されており、正面側半部は閉じられている。この正面側半部の内面に、迂回ガイド軸４７が突設されている。この迂回ガイド軸４７は、横方向断面が十字状になっており、上方に垂直に立上がっている。
【００３０】
電力量計用ホルダー１は上記のように構成されており、以下のように組み立てて一体化する。
先ず、背当て部３を電力量計Ｅの背面側に上記したように取付け、フード状カバー部２９を被せる。このとき、コンセント１７ａは完全にむき出し状態とする。
そして、図４に示すように、脚部３３のコード引出口４５に配線コード１８、４９を通す。配線コード１８は端子配列部ｅ４に接続する。配線コード４９は自動販売機のコンセントに接続するものであり、一端側がコンセント１７ａに対応してプラグ４９ａになっている。この配線コード４９は脚部３３の内面側では迂回ガイド軸４７に沿わされて曲げられている。この配線コード４９のプラグ４９ａがコンセント１７ａに差込まれて接続される。
【００３１】
この状態で、脚部３３を背当て部３に上記したように取付け、背面部４１を被せる。背面部４１が引き上げられて背当て部３が全て覆われ、フード状カバー部２９と合されロックされて、組立てが完了する。
図１、図２に示すように、脚部３３の底面部３５を自動販売機の天面に載せ、配線コード４９を自動販売機のコンセントに接続してから、自立させる。このとき、底面部３５の底面は設置面である自動販売機の天面と平行になり、安定的に自立できる。また、マグネット３６と自動販売機の天面を構成する磁性体の鉄板との間で吸引作用が働くので、横から力を受けても倒れ難い。
【００３２】
配線コード４９は脚部３３の内部で曲げられているので、外に引き出されて長く延びている配線コード４９が引っ張られても、コンセント１７ａからは抜け難くなっている。配線コード１８も配線ガイド片５ｂにガイドされており、コードどうしの干渉が規制されている。
防水フィルムＦ１がコード引出口４５とコンセント１７ａとの間に延出しており、配線コード４９のプラグ４９ａとコンセント１７ａの間への水の入込みが阻止されている。また、防水フィルムＦ２がコード引出口４５と端子配列部ｅ４との間に延出しており、配線１７ｂと端子配列部ｅ４の間への水の入込みが阻止されている。
防水フィルムＦ１、Ｆ２はいずれも着脱自在になっており、必要に応じて交換することができる。
【００３３】
以上、本考案の実施の形態について詳述してきたが、具体的構成は、この実施の形態に限られるものではなく、本考案の要旨を逸脱しない範囲における設計の変更などがあっても考案に含まれる。
【産業上の利用可能性】
【００３４】
最近では、一般家屋でも２００Ｖ用の配線が多くなっているが、自動販売機は１００Ｖ配線になっている。そのため、電力量計用ホルダーを利用すれば、広く流通している既存の壁面取付け用の１００Ｖ用電力量計を自動販売機の電力量計としてそのまま利用できる。壁面取付け用としての需要が先細りになっている現在、この電力量計用ホルダーは壁面取付け用の１００Ｖ用電力量計の新たな活用を促すものになり得る。
【符号の説明】
【００３５】
１…電力量計用ホルダー                  ３…背当て部        ５…主部
５ａ…配線トンネル  ５ｂ…配線ガイド片  ７…露出背面        ９…合せ面
１１…嵌込み枠      １３…ガイドレール  １５…係止突起部    １５ａ…円板状基部
１５ｂ…連結部      １５ｃ…半割軸部    １５ｄ…半割円柱    １５ｅ…半割切頭円錐
１６…係止突起部    １６ａ…爪部        １７…コンセントボックス
１７ａ…コンセント  １７ｂ…配線        １８…配線コード    １８ａ…配線
１９…ガイド壁      ２０…仕切り壁      ２１…被装着部      ２３…挟持片
２５…抜止め突起    ２７…立上げガイド片                    ２７ａ…軸部
２７ｂ…三角板部    ２７ｃ…傾斜縁      ２９…フード状カバー部
２９ａ…天面部      ２９ｂ…側面部      ２９ｃ…スライド縁  ２９ｄ…摺接凸部
２９ｅ…背面部      ２９ｆ…合せ縁      ３１…係合穴部      ３１ａ…ベース片
３１ｂ…係合穴      ３３…脚部          ３５…底面部        ３５ａ…スリット孔
３６…マグネット    ３７…支持部        ３９…正面部        ４１…背面部
４１ａ…下面部      ４１ｂ…側面部      ４１ｃ…後面部      ４１ｄ…合せ縁
４１ｅ…スライド縁  ４３…係合突起      ４５…コード引出口  ４７…迂回ガイド軸
４９…配線コード    ４９ａ…プラグ
Ｅ…壁面取付け用電力量計              ｅ１…背面部        ｅ２…壁面取付け孔
ｅ３…補助取付け孔  ｅ４…端子配列部    Ｆ１…防水フィルム  ｆ１…フラップ
Ｆ２…防水フィルム  ｆ２…フラップ        ｐ…孔
【図１】
0003224690.tif 000003
【図２】
0003224690.tif 000004
【図３】
0003224690.tif 000005
【図４】
0003224690.tif 000006
【図５】
0003224690.tif 000007
【図６】
0003224690.tif 000008
【図７】
0003224690.tif 000009
【図８】
0003224690.tif 000010
【手続補正書】
【提出日】令和1年11月7日(2019.11.7)
【手続補正１】
【補正対象書類名】実用新案登録請求の範囲
【補正対象項目名】請求項７
【補正方法】変更
【補正の内容】
【請求項７】
請求項１から６のいずれかに記載した電力量計用ホルダーにおいて、
フード状カバー部の摺接凸部が背当て部の凹面にスライド可能に取付けられていることを特徴とする電力量計用ホルダー。
【手続補正２】
【補正対象書類名】明細書
【補正対象項目名】００１２
【補正方法】変更
【補正の内容】
【００１２】
請求項７の考案は、請求項１から６のいずれかに記載した電力量計用ホルダーにおいて、フード状カバー部の摺接凸部が背当て部の凹面にスライド可能に取付けられていることを特徴とする電力量計用ホルダーである。